(57)【要約】【課題】内部の部品と部品との接続部などが見えないようにしながら、不透明成形品のみでは表現できない奥行き、深み感のある微妙な色の表現ができる。【解決手段】不透明の内ケース１と、該内ケース１に密着した透明又は半透明の外ケース２とで構成された電器機器５のケース３である。外ケース２の外面に少なくとも一部が透明又は半透明となったグラデーション塗装４がなされている。【選択図】        図１
2004223308.tif 000002
【特許請求の範囲】
【請求項１】
不透明の内ケースと、該内ケースに密着した透明又は半透明の外ケースとで構成された電器機器のケースであって、外ケースの外面に少なくとも一部が透明又は半透明となったグラデーション塗装がなされていることを特徴とする電気機器のケース。
【請求項２】
外ケース外面のグラデーション塗装の全部が透明又は半透明であることを特徴とする請求項１記載の電気機器のケース。
【請求項３】
外ケースのグラデーション色と内ケースの不透明色を同系色として成ることを特徴とする請求項２記載の電気機器のケース。
【請求項４】
グラデーション塗装の外面に透明又は半透明の塗装をして成ることを特徴とする請求項１乃至請求項３のいずれかに記載の電気機器のケース。
【請求項５】
透明又は半透明の塗装がゴム塗装であることを特徴とする請求項４記載の電気機器のケース。
【請求項６】
内ケースと外ケースとが二重成形により形成してあることを特徴とする請求項１乃至請求項５記載の電気機器のケース。
【請求項７】
外ケースのグラデーション色と内ケースの不透明色を異系色として成ることを特徴とする請求項１又は請求項２記載の電気機器のケース。
【発明の詳細な説明】
【０００１】
【発明の属する技術分野】
本発明は、電気機器のケースに関するものである。
【０００２】
【従来の技術】
従来から透明な材料にグラデーションをするものがある。（例えば、特許文献１参照）
ところが、上記の特許文献１に示されたものは単一の材料にグラデーションをしているため、奥行きがなく、色の深みがないという問題がある。
【０００３】
また、脱毛器のような電気機器は、主に女性が使用するものであり、電気機器ケースとして自然物（例えば花デザインなど）の色彩感を表現した商品は少ない。また、上記特許文献１に示された透明な材料にグラデーションをする技術で電気機器のケースを構成した場合、内部が見え、部品と部品との接続部分などが見えて好ましくない。
【０００４】
また、従来電気機器のケースを二重ケースとして更に、この二重ケースにグラデーションを使用して色彩感を表現する電気機器はなかった。
【０００５】
そこで、本発明者は本発明に至る過程で、立体感の色合いを出すために、透明又は半透明のケースの外面にグラデーション塗装をし、該ケースの内面にもう１色の塗装をすることにより立体感のある色合いを考えた。しかしながら、これだとケースの内面に塗装するには技術的に難しく、コスト高になるという問題があり、また、透明又は半透明のケースが部分的に厚みが異なる場合（例えば、内部に立設するボス等の形状があって厚みが異なる場合）、前記厚みが異なる形状の部分だけ透明感が他の部分と異なり、外面から見て綺麗な色彩とならず、色彩の連続性も無くなるという問題がある。また、ケースに機械部品や電気部品などを収納する他の部品をケース内面に接続する場合、十分な結合強度を得ようとしてケース内面にボスを設けてねじ止めをするが、内面塗装の方法ではこの接続ができない。
【０００６】
【特許文献１】
特開２０００−１１７８２０号公報
【０００７】
【発明が解決しようとする課題】
本発明は上記の点に鑑みてなされたものであり、内部の部品と部品との接続部などが見えないようにしながら、不透明成形品のみでは表現できない奥行き、深み感のある微妙な色の表現ができて商品価値が高くなり、また、内ケースの内面にボス等が形成してあっても外面から見て綺麗な色彩が現出できる電気機器のケースを提供することを課題とするものである。
【０００８】
【課題を解決するための手段】
上記課題を解決するために本発明に係る電気機器のケースは、不透明の内ケース１と、該内ケース１に密着した透明又は半透明の外ケース２とで構成された電器機器５のケース３であって、外ケース２の外面に少なくとも一部が透明又は半透明となったグラデーション塗装４がなされていることを特徴とするものである。このような構成とすることで、不透明の内ケース１により内部の部品と部品との接続部などが見えないようにできるだけではなく、グラデーション塗装４の奥方に透明又は半透明の外ケース２の厚みを介して不透明色が存在することになり、これにより透明又は半透明の外ケース２の外面に塗装されたグラデーション塗装４のグラデーション色と内ケース１の不透明色とが、外面側から見て立体的な色彩の連続として表示できるものであり、また、外ケース２のグラデーション色と内ケース１の不透明色との組み合わせにより多様な色彩バリエーションが得られるものである。また、この場合、内ケース１の内面側にボス等を一体に形成してこのボス部分の厚みが部分的に厚くなっていても該ボスが上記外面から見た場合の色彩に影響を与えないものである。
【０００９】
また、外ケース２外面のグラデーション塗装４の全部が透明又は半透明であることが好ましい。このような構成とすることで、グラデーション塗装４の全域の奥方に透明又は半透明の外ケース２の厚みを介して不透明色が存在することになり、グラデーション塗装４の全域のグラデーション色と内ケース１の不透明色とが、外面側から見て立体的な色彩の連続として表示できるものである。
【００１０】
また、外ケース２のグラデーション色と内ケース１の不透明色を同系色とすることが好ましい。このような構成とすることで、自然物に似た色彩感にでき、例えば、花をイメージした電気機器５のケース３の場合には花に似た自然な色彩感を出すことができるものである。
【００１１】
また、グラデーション塗装４の外面に透明又は半透明の塗装１５をしてあることが好ましい。このような構成とすることで、グラデーション塗装４の剥がれを防止することができるものである。
【００１２】
また、透明又は半透明の塗装１５がゴム塗装であることが好ましい。このような構成とすることで、ゴム塗装が電気機器５のケース３を持ち運びするときの滑り止めになり、また、電気機器５が手持ち操作するものの場合には手持ちした場合の滑り止め効果で操作性が良くなる。また、電気機器５のケース３の外観として自然物（例えば花）をイメージした場合には、自然物（例えば花）に似た感触となるものである。
【００１３】
また、内ケース１と外ケース２とが二重成形により形成してあることが好ましい。内ケース１、外ケース２が別部品の場合、寸法管理が難しいため内ケース１と外ケース２の密着性が悪くなる可能性が高く、外ケースを通して見た色合いに一体感がなく、綺麗な色合いとならない場合があり、また、内ケース１と外ケース２とを透明接着剤で接着する場合、泡の発生により透明感が失われたり、外ケース２の透明材料と透明接着剤の材料との違いによる透明性に不均一さがでたりするおそれがあるが、上記のように内ケース１と外ケース２とが二重成形により形成してあることで、内ケース１と外ケース２との密着性がよく、一体感があり、綺麗な色合いとなるものである。
【００１４】
また、外ケース２のグラデーション色と内ケース１の不透明色を異系色としてあることが好ましい。このように外ケース２のグラデーション色と内ケース１の不透明色を異系色とすることで、立体的な色の変更ができ、例えば、外ケース２を赤系統のグラデーションとし、内ケース１の不透明色をピンクや黄色などにして立体的な色の変化を持たせることもできるものである。
【００１５】
【発明の実施の形態】
以下、本発明を添付図面に示す実施形態に基づいて説明する。
【００１６】
電気機器５のケース３は図１乃至図４に示すようなもので、内ケース１と外ケース２との２重構成となっている。すなわち、内ケース１は不透明であり、この不透明の内ケース１に透明又は半透明の外ケース２が密着していてケース３が構成してある。
【００１７】
透明又は半透明の外ケース２の外面には少なくとも一部が透明又は半透明のグラデーション塗装４が施してある。すなわち、外ケース２の外面の全面にグラデーション塗装４が施してあってこのグラデーション塗装４の全面が透明又は半透明であってもよく、あるいは、外ケース２の外面の全面にグラデーション塗装４を施してあってこのグラデーション塗装４の一部が透明又は半透明であってもよく、あるいは、外ケース２の外面の一部にグラデーション塗装４が施してあってこのグラデーション塗装４の全面が透明又は半透明であってもよく、あるいは、外ケース２の外面の一部にグラデーション塗装４を施してあってこのグラデーション塗装４の一部が透明又は半透明であってもよいものである。
【００１８】
内ケース１は不透明であって任意の不透明色となっている。また、不透明の内ケース１の内面にはボス６が一体に形成してあり、このボス６を利用して機械部品や電気部品などを収納する他の部品を内ケース１内面にねじ止めなどで接続することができるようにしており、ボス６部分でねじ止めなどで接続することで十分な結合強度を得ることができるようになっている。そして、内ケース１が不透明であるため、上記内面に設けたボス６部分が外側から見えずボス６を設けて子の部分が肉厚になったにもかかわらず、内ケース１の外面から見た色合いがボス６部分で変わらないようになっている。
【００１９】
内ケース１と外ケース２との２重構成となったケース５は自然物を模した外形をしており、例えば、添付図面に示す実施形態では「花」を模した形状をしている。
【００２０】
図７、図８の実施形態においては、電気機器５として脱毛装置の例が示してある。すなわち、図７、図８に示す実施形態においては、ケース５内に機械部品や電機部品などを収納する機器ハウジング７の一部又は全部を入れて上記ボス６を利用して機器ハウジング７をケース５にねじにより取付けるようにしてある。添付図面に示す実施形態では機器ハウジング７は本体ハウジング８と本体ハウジング８に着脱自在に取付けられるヘッド部９とで構成してあり、スイッチ１１を有する本体ハウジング８部分がケース５に挿入されて上記のようにねじで取付けてあり、本体ハウジング８に対して脱毛手段１０を有するヘッド部９を着脱自在に取付けることができるようになっている。上記本体ハウジング８には脱毛手段１０を着脱自在に取付ける着脱釦１２が設けてあり、着脱釦１２を操作して本体ハウジング８にヘッド部９を着脱するようになっている。図示を省略しているが、本体ハウジング８にヘッド部９を取付けた状態で本体ハウジング８に設けた駆動手段とヘッド部９に設けた脱毛手段１０とが駆動力を伝達するように接続されるようになっており、スイッチ１１をオンすると、脱毛手段１０が駆動して脱毛動作を行うようになっている。そして、図８に示すように、複数種類のヘッド部９を用意することで、共通の本体ハウジング８に異なる種類のヘッド部９を取付けて使用できるようになっている。
【００２１】
もちろん、本発明のケース３としては上記脱毛装置のケースに限定されることなく、他の種々の電気機器５のケース３として適用できるものである。
【００２２】
しかして、本発明の電気機器５のケース５は、透明又は半透明の外ケース２の外面に少なくとも一部が透明又は半透明となったグラデーション塗装４がなされているので、グラデーション塗装４の奥方に透明又は半透明の外ケース２の厚みを介して不透明色が存在することになり、これにより透明又は半透明の外ケース２の外面に塗装されたグラデーション塗装４のグラデーション色と内ケース１の不透明色とが、外面側から見て立体的な色彩の連続として表示できるものである。しかも、外ケース２のグラデーション色と内ケース１の不透明色との組み合わせにより多様な色彩バリエーションが得られるものである。
【００２３】
ここで、外ケース２外面のグラデーション塗装４の全部が透明又は半透明であることが好ましい。このような構成とすることで、グラデーション塗装４の全域の奥方に透明又は半透明の外ケース２の厚みを介して不透明色が存在することになり、グラデーション塗装４の全域のグラデーション色と内ケース１の不透明色とが、外面側から見て立体的な色彩の連続として表示できるものである。
【００２４】
外ケース２のグラデーション色と内ケース１の不透明色を同系色とした場合には、自然物に似た色彩感にでき、例えば図１乃至図４に示す実施形態のように花をイメージした電気機器５のケース３の場合には花に似た自然な色彩感を出すことができるものである。
【００２５】
また、上記例では外ケース２のグラデーション色と内ケース１の不透明色を同系色とした例を示したが、外ケース２のグラデーション色と内ケース１の不透明色を異系色としてもよい。この場合には外ケース２のグラデーション色と内ケース１の不透明色を異系色とすることで、立体的な色の変更ができ、例えば、外ケース２を赤系統のグラデーションとし、内ケース１の不透明色をピンクや黄色などにして立体的な色の変化を持たせることもできるものである。
【００２６】
また、グラデーション塗装４の外面に図５に示すように透明又は半透明の塗装１５を施してあり、グラデーション塗装４の剥がれを防止することができるようになっている。
【００２７】
上記グラデーション塗装４の外面に施された透明又は半透明の塗装１５がゴム塗装であると、このゴム塗装が電気機器５のケース３を持ち運びするときの滑り止めになり、また、電気機器５が手持ち操作するものの場合には手持ちした場合の滑り止め効果で操作性が良くなる。また、電気機器５のケースの外観として自然物（添付図面に示す実施形態では花）をイメージした場合には、自然物（例えば実施形態では花）に似た感触となるものである。
【００２８】
ところで、内ケース１と外ケース２とよりなるケース３は合成樹脂の二重成形により形成するのが好ましいものである。すなわち、内ケース１、外ケース２を別部品とすることも考えられるが、この場合、寸法管理が難しいため内ケース１と外ケース２の密着性が悪くなる可能性が高く、外ケースを通して見た色合いに一体感がなく、綺麗な色合いとならない場合があり、また、内ケース１と外ケース２とを透明接着剤で接着することも考えられるが、この場合、泡の発生により透明感が失われたり、外ケース２の透明材料と透明接着剤の材料との違いによる透明性に不均一さがでたりするおそれがあるが、上記のように内ケース１と外ケース２とを合成樹脂の二重成形により形成することで、内ケース１と外ケース２との密着性がよく、一体感があり、綺麗な色合いとすることができる。なお、図中１３はケース３に設けた電源コードの引出し孔である。
【００２９】
もちろん、本発明において、内ケース１、外ケース２を別部品とし、これを密着したものであってもよい。
【００３０】
【発明の効果】
上記のように本発明の請求項１記載の発明にあっては、不透明の内ケースと、該内ケースに密着した透明又は半透明の外ケースとで構成された電器機器のケースであって、外ケースの外面に少なくとも一部が透明又は半透明となったグラデーション塗装がなされているので、不透明の内ケースにより内部の部品と部品との接続部などが見えないようにできるだけではなく、グラデーション塗装の奥方に透明又は半透明の外ケースの厚みを介して不透明色が存在することになり、これにより透明又は半透明の外ケースの外面に塗装されたグラデーション塗装のグラデーション色と内ケースの不透明色とが、外面側から見て立体的な色彩の連続として表示できるものであり、また、外ケースのグラデーション色と内ケースの不透明色との組み合わせにより多様な色彩バリエーションが得られ、これらの理由により商品価値の高いケースを提供できるものである。また、この場合、内ケースの内面側にボス等を一体に形成してこのボス部分の厚みが部分的に厚くなっていても該ボスが上記外面から見た場合の色彩に影響を与えないものである。
【００３１】
また、請求項２記載の発明にあっては、上記請求項１記載の発明の効果に加えて、外ケース外面のグラデーション塗装の全部が透明又は半透明であるので、グラデーション塗装の全域の奥方に透明又は半透明の外ケースの厚みを介して不透明色が存在することになり、グラデーション塗装の全域のグラデーション色と内ケースの不透明色とが、外面側から見て立体的な色彩の連続として表示できるものである。
【００３２】
また、請求項３記載の発明にあっては、上記請求項２記載の発明の効果に加えて、外ケースのグラデーション色と内ケースの不透明色を同系色としてあるので、自然物に似た色彩感にでき、例えば、花をイメージした電気機器のケースの場合には花に似た自然な色彩感を出すことができるものである。
【００３３】
また、請求項４記載の発明にあっては、上記請求項１乃至請求項３のいずれかに記載の発明の効果に加えて、グラデーション塗装の外面に透明又は半透明の塗装をしてあるので、グラデーション塗装の剥がれを防止することがでて、長期間にわたって外面側から見て立体的な色彩の連続として表示することができるものである。
【００３４】
また、請求項５記載の発明にあっては、上記請求項４記載の発明の効果に加えて、透明又は半透明の塗装がゴム塗装であるので、このゴム塗装が電気機器のケースを持ち運びするときの滑り止めになり、また、電気機器が手持ち操作するものの場合には手持ちした場合の滑り止め効果で操作性が良くなり、また、電気機器のケースの外観として自然物（例えば花）をイメージした場合には、自然物（例えば花）に似た感触となるものである。
【００３５】
また、請求項６記載の発明にあっては、上記請求項１乃至請求項５記載のいずれかに記載の発明の効果に加えて、内ケースと外ケースとが二重成形により形成してあるので、内ケースと外ケースとの密着性がよく、一体感があり、綺麗な色合いとなるものである。
【００３６】
また、請求項７記載の発明にあっては、上記請求項１又は請求項２記載の発明の効果に加えて、外ケースのグラデーション色と内ケースの不透明色を異系色としてあるので、立体的な色の変更ができ、例えば、外ケースを赤系統のグラデーションとし、内ケースの不透明色をピンクや黄色などにして立体的な色の変化を持たせることもできるものである。
【図面の簡単な説明】
【図１】本発明のケースの斜視図である。
【図２】（ａ）は同上の正面図であり、（ｂ）は同上の側面図である。
【図３】同上の図２（ａ）のＸ−Ｘ線の断面図である。
【図４】（ａ）は同上の平面図であり、（ｂ）は下面図である。
【図５】同上のケースの拡大断面図である。
【図６】同上のケースを用いた電気機器の正面図である。
【図７】同上の側面図である。
【図８】同上の電気機器において着脱自在なヘッド部を複数設ける例を示す説明図である。
【符号の説明】
１  内ケース
２  外ケース
３  ケース
４  グラデーション塗装
５  電器機器
【図１】
2004223308.tif 000003
【図２】
2004223308.tif 000004
【図３】
2004223308.tif 000005
【図４】
2004223308.tif 000006
【図５】
2004223308.tif 000007
【図６】
2004223308.tif 000008
【図７】
2004223308.tif 000009
【図８】
2004223308.tif 000010